(57)【要約】      （修正有）【課題】長さの異なるペットボトルであっても、単一のペットボトルホルダーで対応可能とするペットボトル高さ調整スペーサーを提供する。【解決手段】ペットボトルホルダー１０の底に入れて使用するペットボトル高さ調整スペーサー１００であって、円筒形状に形成された筒部と、筒部の一端側に形成されたフランジ部１０４と、を備え、フランジ部１０４が形成されていない他端側を上方に向けた第１態様においてはペットボトルの底部が筒部内に嵌入でき、フランジ部１０４が形成された一端側を上方に向けた第２態様においてはペットボトルの底部が筒部内に嵌入できない。【選択図】図２
0003229902.tif 000002
【実用新案登録請求の範囲】
【請求項１】
ペットボトルホルダーの底に入れて使用するペットボトル高さ調整スペーサーであって、
円筒形状に形成された筒部と、
当該筒部の一端側に形成されたフランジ部と、を備え、
前記フランジ部が形成されていない他端側を上方に向けた第１態様においてはペットボトルの底部が前記筒部内に嵌入でき、
前記フランジ部が形成された一端側を上方に向けた第２態様においては前記ペットボトルの底部が前記筒部内に嵌入できない
ことを特徴とするペットボトル高さ調整スペーサー。
【請求項２】
請求項１において、
前記フランジ部が前記筒部の一端側全てを塞いだ結果、前記筒部が有底円筒形状となっている
ことを特徴とするペットボトル高さ調整スペーサー。
【考案の詳細な説明】
【技術分野】
【０００１】
本考案は、ペットボトルを収納できるペットボトルホルダーの技術分野に関する。
【背景技術】
【０００２】
ペットボトル入りの飲料は巷に溢れており、その飲料をより快適に保存したり、持ち運びし易くする等の目的で、多様な種類のペットボトルホルダーが存在する（非特許文献１を参照）。
【０００３】
例えば、図３に示しているように、有底円筒形状に形成された本体部１４と、当該本体部１４の上部に螺号して着脱可能な蓋部１２により構成されるペットボトルカバー１０などである。なお、蓋部１２の上面には、ペットボトル５０の飲み口が露出できる開口部１２ａが形成されている。
【先行技術文献】
【非特許文献】
【０００４】
【非特許文献１】Ｆａｖ-Ｌｏｇ  「ワークマンで売り切れ続出「真空保冷ペットボトルホルダー」  代わりになるアイテムを探してみる」のページ  https://www.itmedia.co.jp/fav/articles/2007/08/news100.html
【考案の概要】
【考案が解決しようとする課題】
【０００５】
しかしながら、ペットボトルの形状は多種多様であり、特に、容量に応じて長さが異なる場合、図３に示したような構造のペットボトルホルダーでは対応することが難しかった。長いペットボトルのサイズにペットボトルホルダーの大きさを合わせると、短いペットボトルの飲み口が開口部１２ａから（上下逆さにしない限り）露出してこないし、逆のケースでは、長いペットボトルを収容することが不可能となる。
【０００６】
本考案は、こういった問題点を解決するべくなされたものであって、長さの異なるペットボトルであっても、単一のペットボトルホルダーで対応可能とすることをその課題としている。
【課題を解決するための手段】
【０００７】
上記課題を解消するべく、本考案は、ペットボトルホルダーの底に入れて使用するペットボトル高さ調整スペーサーであって、円筒形状に形成された筒部と、当該筒部の一端側に形成されたフランジ部と、を備え、前記フランジ部が形成されていない他端側を上方に向けた第１態様においてはペットボトルの底部が前記筒部内に嵌入でき、前記フランジ部が形成された一端側を上方に向けた第２態様においては前記ペットボトルの底部が前記筒部内に嵌入できないことを特徴とする。
【０００８】
このように構成した結果、長いペットボトルを収容する際はスペーサーを第１形態で使用し、短いペットボトルを収容する際はスペーサーを第２形態で使用することにより、単一のペットボトルホルダーで長さの異なるペットボトルに対応することが可能となっている。また、長いペットボトルを収容する際も、第１形態として、ペットボトルホルダーの中にスペーサー自体も収容しておくことが可能であるため、別途持ち運ぶ必要もないし紛失する可能性も低減できる。なお、スペーサーの高さが異なるシリーズとして数種類用意しておくことももちろん可能である。
【０００９】
また、前記フランジ部が前記筒部の一端側全てを塞いだ結果、前記筒部が有底円筒形状となっていてもよい。
【００１０】
このように構成すれば、どれだけ細いペットボトルであっても、第２形態として使用して高さ調整への対応が可能となる。
【００１１】
本考案により、長さの異なるペットボトルであっても、単一のペットボトルホルダーで対応可能となる。
【図面の簡単な説明】
【００１２】
【図１】本発明の実施形態の一例として示したペットボトル高さ調整スペーサーであって、（ａ）は斜視図、（ｂ）は中央縦端面図である。
【図２】ペットボトルホルダーの中でペットボトル高さ調整スペーサーを使用している状態を示した図であって、（ａ）はペットボトル高さ調整スペーサーが第１態様で使用されている状態を示した断面図、（ｂ）はペットボトル高さ調整スペーサーが第２態様で使用されている状態を示した断面図である。
【図３】公知のペットボトルホルダーにペットボトルが収容されている状態の一例を示した斜視図である。
【考案を実施するための形態】
【００１３】
以下、添付図面を参照しつつ、本考案の実施形態の一例であるペットボトル高さ調整スペーサー１００（以下単に「スペーサー」という。）につき詳細に説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１４】
〈ペットボトル高さ調整スペーサーの構成〉
スペーサー１００の構成は非常にシンプルである。図１に示しているように、円筒形状に形成された筒部１０２の一方の端部（図１においては上方の端部）に、筒部１０２の内側に向かって僅かに張り出すように一体成型されたフランジ部１０４が備わっている。換言すると、当該筒部１０２の軸方向に沿う断面形状が「略Ｌ字型」乃至は「カギ型」となるように構成されている。
【００１５】
その結果、図１（ｂ）で示しているように、フランジ１０４が備わっていいない一端側（下側）の内径ｄ１よりも、フランジ１０４が備わっている他端側の内径ｄ２の方が小さくなっている。視点を変えると、ペットボトルホルダー１０に収容されるペットボトルの底部の直径は、ｄ１よりも小さく、ｄ２よりも大きくなっている。
【００１６】
〈ペットボトル高さ調整スペーサーの作用・機能〉
続いて、図２を参照しつつ、スペーサー１００の使い方を説明する。
【００１７】
まず図２（ａ）に示しているように、長いタイプのペットボトル５０を収容する場合は、スペーサー１００は第１形態で使用する。第１形態とは、フランジ１０４が形成されていない側を上にした状態を意味する。この状態でスペーサー１００をペットボトルホルダー本体部１４の底に入れ、その上でペットボトル５０を収容する。第１形態では、ペットボトル５０はスペーサー１００の中に嵌入できるので、スペーサー１００を入れない時と殆ど高さが変わらない状態でペットボトル５０を保持することができる。
【００１８】
一方、図２（ｂ）に示しているように、短いタイプのペットボトル６０を収容する場合は、スペーサー１００は第２形態で使用する。第２形態とは、フランジ１０４が形成されている側を上にした状態を意味する。この状態でスペーサー１００をペットボトルホルダー本体部１４の底に入れ、その上でペットボトル６０を収容する。第２形態では、ペットボトル６０はスペーサー１００の中に嵌入できないので、ペットボトル６０を高い位置で保持することができ、開口部１０２から飲み口を適切な状態で露出させることができる。
【００１９】
このように、長いペットボトル５０を収容する際はスペーサー１００を第１形態で使用し、短いペットボトル６０を収容する際はスペーサー１００を第２形態で使用することにより、単一のペットボトルホルダー１０で長さの異なるペットボトル５０、６０に対応することが可能となっている。また、長いペットボトル５０を収容する際も、第１形態として、ペットボトルホルダー１０の中にスペーサー１００自体も収容しておくことが可能であるため、別途持ち運ぶ必要もないし紛失する可能性も低減できる。なお、スペーサーの高さが異なるシリーズとして数種類用意しておくことももちろん可能である。
【００２０】
〈その他の構成例〉
なお上記では、フランジ部１０４が少しだけ筒部１０２の内側に張り出すように構成されていた。これはスペーサー１００自体の軽量化の側面からは非常に有利であるが、このような構成に限られるものではない。図示はしないが例えば、フランジ部１０４が筒部１０２の一端側全てを塞いだような、所謂「有底円筒形状」に構成されていてもよい。
【００２１】
このように構成すれば、どれだけ細いペットボトルであっても、第２形態として使用して高さ調整への対応が可能となる。
【符号の説明】
【００２２】
１０・・・ペットボトルホルダー
１２・・・蓋部
１２ａ・・・開口部
１４・・・本体部
５０、６０・・・ペットボトル
１００・・・スペーサー
１０２・・・筒部
１０４・・・フランジ
【図１】
0003229902.tif 000003
【図２】
0003229902.tif 000004
【図３】
0003229902.tif 000005